(57)【要約】【課題】小型化およびコストダウンが図れるとともに、常に高忠実度かつリアリティな色を再現して画像を表示できる携帯表示装置を提供する。【解決手段】画像を表示するモニタ２と、モニタ２に表示されるテストパターンの表示光とモニタ２の観察照明光とを選択的に受光して、モニタ２の分光特性を示すモニタ特性と観察照明光の分光特性を示す観察照明特性とを選択的に計測する分光センサ５と、分光センサ５で計測されたモニタ特性および観察照明特性に基づいて、モニタ２に表示する画像データを色変換するための色変換係数を算出する色変換係数演算部１３と、を有する。【選択図】図３
2010197735.tif 000002
【特許請求の範囲】
【請求項１】
画像を表示するモニタと、
前記モニタに表示されるテストパターンの表示光と前記モニタの観察照明光とを選択的に受光して、前記モニタの分光特性を示すモニタ特性と前記観察照明光の分光特性を示す観察照明特性とを選択的に計測する分光センサと、
前記分光センサで計測された前記モニタ特性および前記観察照明特性に基づいて、前記モニタに表示する画像データを色変換するための色変換係数を算出する色変換係数演算部と、
を有することを特徴とする携帯表示装置。
【請求項２】
前記モニタは、装置本体に対して開閉可能に構成し、
前記分光センサは、前記装置本体に設けて、前記モニタが開状態では前記観察照明光を受光して前記観察照明特性を計測可能に構成し、前記モニタが閉状態では該モニタに表示されるテストパターンの表示光を受光して前記モニタ特性を計測可能に構成した、
ことを特徴とする請求項１に記載の携帯表示装置。
【請求項３】
前記モニタは、装置本体に対して開閉可能に構成し、
前記装置本体には、前記モニタの閉状態で、該モニタと対向するように反射ミラーを設け、
前記分光センサは、前記モニタに設けて、前記モニタが開状態では前記観察照明光を受光して前記観察照明特性を計測可能に構成し、前記モニタが閉状態では該モニタに表示されるテストパターンの表示光を前記反射ミラーを経て受光して前記モニタ特性を計測可能に構成した、
ことを特徴とする請求項１に記載の携帯表示装置。
【請求項４】
前記モニタの明るさに応じて前記分光センサで計測されたモニタ特性を格納するモニタ特性記憶部と、
前記分光センサが前記観察照明特性を計測する際の前記観察照明光の輝度を算出する輝度算出部と、を有し、
前記色変換係数演算部は、前記観察照明特性と、前記モニタ特性記憶部に格納され、前記観察照明特性を計測する際に前記輝度算出部で算出された前記輝度に対応する前記モニタ特性とに基づいて前記色変換係数を算出する、
よう構成したことを特徴とする請求項１〜３のいずれか一項に記載の携帯表示装置。
【請求項５】
被写体を撮像して画像データを出力する撮像部を有し、
前記分光センサは、前記撮像部が被写体を撮像する際の撮像照明光の分光特性を示す撮像照明特性を計測し、
前記色変換係数演算部は、前記撮像部が撮像した被写体像を前記モニタに表示する際に、前記分光センサで計測された前記モニタ特性および前記観察照明特性と、当該被写体像の撮像の際に計測された前記撮像照明特性とに基づいて前記色変換係数を算出する、
よう構成したことを特徴とする請求項１〜４のいずれか一項に記載の携帯表示装置。
【請求項６】
前記分光センサは、前記撮像部による被写体の撮像の際に、前記撮像照明特性と前記観察照明特性とを同時に計測し、
前記色変換係数演算部は、前記撮像部からの画像データを前記モニタにリアルタイムで表示するように、前記分光センサで計測された前記モニタ特性と、前記被写体像の撮像の際に同時に計測された前記撮像照明特性および前記観察照明特性とに基づいて前記色変換係数を算出する、
よう構成したことを特徴とする請求項５に記載の携帯表示装置。
【発明の詳細な説明】
【技術分野】
【０００１】
本発明は、携帯表示装置に関するものである。
【背景技術】
【０００２】
近年、Ｗｅｂショッピング、デジタルアーカイブや画像配信サービスが盛んに行われるようになってきている。しかし、特に、Ｗｅｂショッピングにおいては、購入した物品が購入時にモニタで見たときの色と異なることに起因して、返品等のトラブルが多く発生している。
【０００３】
このような状況の中、例えば、ネットワークを用いてサーバ側から、ｓＲＧＢという所定の色空間の画像データをユーザ側に送信し、ユーザ側で色変換処理を行って、所定の色空間で画像を表示するようにした色再現システムが提案されている（例えば、特許文献１参照）。この色再現システムでは、モニタに色票（カラーパッチ）を表示し、その色票の色をカラーカメラで撮像するとともに、そのときの撮像照明光を照明光センサで測定して、モニタの分光特性であるモニタ特性を求め、そのモニタ特性に基づいて表示する画像データを補正することにより、モニタ特性の影響を排除して画像を表示するようにしている。この方法は、一般にモニタキャリブレーションと呼ばれている。
【０００４】
しかし、この特許文献１に開示の色再現システムは、モニタが所定の色空間であることが前提であり、モニタ特性が所定の色空間からずれている場合は、正しい色再現を行うことができないという問題がある。また、モニタ特性は、経時変化が大きいため、一度測定したモニタ特性を固定的に使用すると、長期間に亘って良好な色再現特性が得られないことになる。
【０００５】
このような問題を解決するものとして、例えば、開閉可能なモニタを利用する機器において、モニタが閉じた状態で、輝度センサおよび色度センサを用いてモニタ特性を計測して更新することにより、モニタの経年変化に対応して安定した色再現特性を得るようにしたものが知られている（例えば、特許文献２参照）。
【０００６】
しかし、この特許文献２に開示の技術は、モニタを観察する照明環境については考慮されていない。このため、所定の観察照明下では、画像を忠実に色再現して表示できても、観察場所の変更等により観察照明が変わると、色再現性が低下することになる。特に、携帯表示装置においては、携帯されることによって観察場所が頻繁に変化することから、画像を忠実に色再現して表示できない場合が多くなる。
【０００７】
このため、携帯表示装置が通信機能を有する携帯電話の場合は、例えば、Ｗｅｂショッピングを行う際に不都合が生じることになる。すなわち、Ｗｅｂショッピングを行う場合は、その場の照明環境である観察照明の下で、色を忠実に再現して表示することが必要である。例えば、自分が今着ている服の色にあうカバンを購入する場合には、通常は自分の服のところに携帯電話を持って行って、服の色とモニタに表示されているカバンの色とを見比べる。ところが、モニタに表示されているカバンは、サーバ側から所定の撮像照明光の下で撮像された色のカバンの画像が送られているため、正しく比較することは現実にはできないことになる。
【０００８】
このような不都合を解消し得るものとして、例えば、通信機能を有する携帯表示装置に環境照明検出部を設けてモニタの観察照明特性を計測し、その計測された観察照明特性をサーバに送信することにより、サーバ側で、受信した観察照明特性と予め記憶されている当該携帯表示装置に対応するモニタプロファイルとを加味して映像データを色変換処理し、その色変換処理された映像データを携帯表示装置に送信するようにしたものが知られている（例えば、特許文献３参照）。
【０００９】
しかし、この特許文献３に開示の技術は、モニタを観察する照明環境については考慮しているものの、モニタ特性については、サーバ側に予め記憶されているモニタプロファイルを用いている。このため、モニタ特性の経時変化により、良好な色再現特性が得られないことが懸念される。
【先行技術文献】
【特許文献】
【００１０】
【特許文献１】特開２００１−６００８２号公報
【特許文献２】特開２００５−７３７１８号公報
【特許文献３】特開２００８−２８８８５９号公報
【発明の概要】
【発明が解決しようとする課題】
【００１１】
上述したように、従来の携帯表示装置は、いずれも、長期間に亘って忠実な色を再現して画像を表示することができないものである。この問題を解決する方法として、例えば、上記の特許文献２および３に開示の技術を組み合わせて、モニタ特性および観察照明光を考慮することが想定される。
【００１２】
しかしながら、特許文献２および３に開示の技術を単に組み合わせて、モニタ特性および観察照明光を計測しようとすると、モニタ特性を計測するためのカラーカメラと観察照明光を測定するための照明光センサとを要することになる。このため、携帯表示装置が大型化するとともに、コストアップを招くことが懸念される。特に、携帯性を重視すると、カラーカメラおよび照明光センサの設置スペースを確保することが困難になる。
【００１３】
したがって、かかる点に鑑みてなされた本発明の目的は、小型化およびコストダウンが図れるとともに、常に高忠実度かつリアリティな色を再現して画像を表示できる携帯表示装置を提供することにある。
【課題を解決するための手段】
【００１４】
上記目的を達成する請求項１に係る携帯表示装置の発明は、
画像を表示するモニタと、
前記モニタに表示されるテストパターンの表示光と前記モニタの観察照明光とを選択的に受光して、前記モニタの分光特性を示すモニタ特性と前記観察照明光の分光特性を示す観察照明特性とを選択的に計測する分光センサと、
前記分光センサで計測された前記モニタ特性および前記観察照明特性に基づいて、前記モニタに表示する画像データを色変換するための色変換係数を算出する色変換係数演算部と、
を有することを特徴とするものである。
【００１５】
請求項２に係る発明は、請求項１に記載の携帯表示装置において、
前記モニタは、装置本体に対して開閉可能に構成し、
前記分光センサは、前記装置本体に設けて、前記モニタが開状態では前記観察照明光を受光して前記観察照明特性を計測可能に構成し、前記モニタが閉状態では該モニタに表示されるテストパターンの表示光を受光して前記モニタ特性を計測可能に構成した、
ことを特徴とするものである。
【００１６】
請求項３に係る発明は、請求項１に記載の携帯表示装置において、
前記モニタは、装置本体に対して開閉可能に構成し、
前記装置本体には、前記モニタの閉状態で、該モニタと対向するように反射ミラーを設け、
前記分光センサは、前記モニタに設けて、前記モニタが開状態では前記観察照明光を受光して前記観察照明特性を計測可能に構成し、前記モニタが閉状態では該モニタに表示されるテストパターンの表示光を前記反射ミラーを経て受光して前記モニタ特性を計測可能に構成した、
ことを特徴とするものである。
【００１７】
請求項４に係る発明は、請求項１〜３のいずれか一項に記載の携帯表示装置において、
前記モニタの明るさに応じて前記分光センサで計測されたモニタ特性を格納するモニタ特性記憶部と、
前記分光センサが前記観察照明特性を計測する際の前記観察照明光の輝度を算出する輝度算出部と、を有し、
前記色変換係数演算部は、前記観察照明特性と、前記モニタ特性記憶部に格納され、前記観察照明特性を計測する際に前記輝度算出部で算出された前記輝度に対応する前記モニタ特性とに基づいて前記色変換係数を算出する、
よう構成したことを特徴とするものである。
【００１８】
請求項５に係る発明は、請求項１〜４のいずれか一項に記載の携帯表示装置において、
被写体を撮像して画像データを出力する撮像部を有し、
前記分光センサは、前記撮像部が被写体を撮像する際の撮像照明光の分光特性を示す撮像照明特性を計測し、
前記色変換係数演算部は、前記撮像部が撮像した被写体像を前記モニタに表示する際に、前記分光センサで計測された前記モニタ特性および前記観察照明特性と、当該被写体像の撮像の際に計測された前記撮像照明特性とに基づいて前記色変換係数を算出する、
よう構成したことを特徴とするものである。
【００１９】
請求項６に係る発明は、請求項５に記載の携帯表示装置において、
前記分光センサは、前記撮像部による被写体の撮像の際に、前記撮像照明特性と前記観察照明特性とを同時に計測し、
前記色変換係数演算部は、前記撮像部からの画像データを前記モニタにリアルタイムで表示するように、前記分光センサで計測された前記モニタ特性と、前記被写体像の撮像の際に同時に計測された前記撮像照明特性および前記観察照明特性とに基づいて前記色変換係数を算出する、
よう構成したことを特徴とするものである。
【発明の効果】
【００２０】
本発明によれば、一つの分光センサを共用して、モニタの分光特性を示すモニタ特性と観察照明光の分光特性を示す観察照明特性とを選択的に計測して、これらモニタ特性および観察照明特性に基づいて、モニタに表示する画像データを色変換するための色変換係数を算出するようにしたので、小型化およびコストダウンが図れるとともに、常に高忠実度かつリアリティな色を再現して画像を表示することができる。
【図面の簡単な説明】
【００２１】
【図１】本発明の第１実施の形態に係る携帯表示装置の概略構成を示す図である。
【図２】図１に示した分光センサの一例の構成を示す概略断面図および部分平面図である。
【図３】図１に示した携帯表示装置の要部の回路構成を示すブロック図である。
【図４】図３に示したテストパターン記憶部に格納するテストパターンの一例を説明するための図である。
【図５】図３に示した色変換部の要部の構成を示すブロック図である。
【図６】本発明の第２実施の形態に係る携帯表示装置の概略構成を示す図である。
【図７】図６に示した携帯表示装置の要部の回路構成を示すブロック図である。
【図８】本発明の第３実施の形態に係る携帯表示装置の要部の構成を示す概略図である。
【図９】本発明の第４実施の形態に係る携帯表示装置の要部の構成を示す概略図である。
【図１０】本発明の第５実施の形態に係る携帯表示装置の要部の構成を示す概略斜視図である。
【図１１】図１０に示した携帯表示装置の要部の回路構成を示すブロック図である。
【図１２】本発明の第６実施の形態に係る携帯表示装置の要部の回路構成を示すブロック図である。
【図１３】環境の明るさに応じたモニタの表示輝度制御の一例を説明するための図である。
【図１４】本発明の第７実施の形態に係る携帯表示装置の要部の構成を模式的に示す断面図である。
【発明を実施するための形態】
【００２２】
以下、本発明の実施の形態について、図を参照して説明する。
【００２３】
（第１実施の形態）
図１は、本発明の第１実施の形態に係る携帯表示装置の概略構成を示す図である。この携帯表示装置は、携帯電話等の通信機能を有するもので、装置本体１に対して、ＬＣＤ（Liquid Crystal Display）やＥＬ（Ｅlectro Luminescence）等からなるモニタ２が、ヒンジ部３を介して開閉可能（折り畳み可能）に設けられおり、装置本体１側には、テンキー等の入力操作部４が設けられている。なお、図１（ａ）は、モニタ２を開状態とした斜視図を示し、図１（ｂ）は、モニタ２を閉状態とした概略断面図を示す。
【００２４】
本実施の形態に係る携帯表示装置は、モニタ２の閉状態において、モニタ２の表示面２ａに対向するように、装置本体１側に設けた分光センサ５を有する。
【００２５】
図２（ａ）および（ｂ）は、図１に示した分光センサ５の一例の構成を示す概略断面図および部分平面図である。図２（ａ）に示すように、分光センサ５は、４×４画素の２次元アレイセンサ６と、その上に配置した色フィルタ７および積分球８とを有し、例えば、５ｍｍ（縦）×５ｍｍ（横）×５ｍｍ（高さ）の大きさからなる。色フィルタ７は、４×４画素の２次元アレイセンサ６に対応して、図２（ｂ）に示すように、４×４の異なる色フィルタを有して構成する。これにより、分光センサ５は、入射光を、積分球８および色フィルタ７を介して２次元アレイセンサ６で受光して、１６色（１６バンド）のスペクトル情報を計測する。
【００２６】
本実施の形態に係る携帯表示装置においては、図１（ａ）に示すモニタ２の開状態において、分光センサ５により観察照明光を受光して観察照明特性（スペクトル情報）を計測可能とし、図１（ｂ）に示すモニタ２の閉状態において、モニタ２に表示されるテストパターン（色票）の表示光を受光してモニタ２の分光特性を示すモニタ特性（スペクトル情報）を計測可能とする。
【００２７】
図３は、図１に示した携帯表示装置の要部の回路構成を示すブロック図である。分光センサ５の出力は、切換スイッチ１１に供給する。切換スイッチ１１は、モニタ２の開閉に連動して得られる開閉信号により切換動作し、これにより、モニタ２が閉状態にあるときは、分光センサ５の出力をモニタ特性算出部１２に供給し、モニタ２が開状態にあるときは、分光センサ５の出力を観察照明特性情報として色変換係数算出部１３に供給する。
【００２８】
モニタ特性算出部１２は、モニタ特性を計測する際に、テストパターン記憶部１４に記憶されているテストパターン（色票）を、モニタ駆動部１５を介してモニタ２に表示させ、これにより分光センサ５から切換スイッチ１１を経て入力されるスペクトル情報に基づいてモニタ特性を算出する。すなわち、モニタ２のキャリブレーションを行う。この算出したモニタ特性は、モニタ特性記憶部１６に記憶する。
【００２９】
ここで、モニタ２に表示するキャリブレーション用のテストパターンは、後述するように、例えばＲＧＢそれぞれの単色の画像で、異なる階調の画像を複数枚利用する。また、モニタ特性算出部１２は、分光センサ５から得られるスペクトル情報をＸＹＺ値に変換して、表示するＲＧＢの信号値と、色の値であるＸＹＺ値とを対応させたモニタ特性を算出する。なお、モニタ特性の計測は、モニタ２が閉状態になる毎、所定時間あるいは所定期間経過する毎、などの適宜のタイミングで自動的に実施して、モニタ特性記憶部１６に記憶するモニタ特性を更新する。
【００３０】
一方、モニタ２に表示する画像データは、通信部１７によりネットワーク２１を介してＷｅｂサーバ２２からダウンロードする。このダウンロードした画像データは、撮像情報検出部１８および色変換部１９に供給する。撮像情報検出部１８は、入力した画像データから、当該画像データに含まれる撮像情報を検出して色変換係数演算部１３に供給する。ここで、画像データに含まれる撮像情報とは、撮像時の照明スペクトル情報である撮影照明特性情報や、撮像したデジタルカメラの特性情報（撮像素子の分光感度や撮像レンズ系の分光感度）であるカメラ特性情報である。なお、画像データにこれらの撮像情報が含まれていない場合は、所定のデータを用いる。
【００３１】
色変換係数演算部１３は、ダウンロードされた画像データをモニタ２に表示する際に、モニタ特性記憶部１６に記憶されている最新のモニタ特性情報と、分光センサ５から切換スイッチ１１を経て得られる観察照明特性情報と、撮像情報検出部１８から得られる撮影照明特性情報やカメラ特性情報とに基づいて、観察照明に適応した色変換パラメータを演算して、その結果を色変換部１９に供給する。ここで、色変換係数演算部１３で演算される色変換パラメータには、入力画像データの色変換処理に際して用いる照明変換データと、モニタ２の色変換処理に際して用いるモニタ色変換データ、オフセット補正データ、トーンカーブ補正データなどが含まれる。
【００３２】
色変換部１９は、ダウンロードされた画像データを、色変換係数演算部１３で演算された色変換パラメータに基づいて色変換処理して、モニタ駆動部１５を介してモニタ２に表示する。この色変換部１９の詳細な構成および作用については、後述する。
【００３３】
次に、上述したモニタ特性算出部１２によりモニタ２のキャリブレーションを行う際に、モニタ２に表示するテストパターンについて、図４を参照して説明する。
【００３４】
図４は、図３に示したテストパターン記憶部１４に格納するテストパターンの一例を説明するための図である。このテストパターンは、モニタ２がＲＧＢモニタで、ＲＧＢの各色の最大入力値が２５５（２４ビット入力カラーモニタ）である場合のテストパターン（色票）を示すものである。これらのテストパターンは、いずれもＲＧＢのいずれかの原色による単一色のパターンとなっている。
【００３５】
図４において、テストパターンＡ０１は、ＲＧＢの画素値が（２５５，０，０）の組み合わせからなる彩度が最も高い赤色のパターンである。同様に、テストパターンＡ０２は、ＲＧＢの画素値が（０，２５５，０）の組み合わせからなる彩度が最も高い緑色のパターンである。テストパターンＡ０３は、ＲＧＢの画素値が（０，０，２５５）の組み合わせからなる彩度が最も高い青色のパターンである。テストパターンＡ０４は、ＲＧＢの画素値が（０，０，０）の組み合わせからなる最低輝度（暗黒）のパターンである。
【００３６】
また、テストパターンＡ０５は、ＲＧＢの画素値が（１２８，０，０）の組み合わせからなる中間彩度の赤色パターンである。テストパターンＡ０６は、ＲＧＢの画素値が（０，１２８，０）の組み合わせからなる中間彩度の緑色パターンである。テストパターンＡ０７は、ＲＧＢの画素値が（０，０，１２８）の組み合わせからなる中間彩度の青色パターンである。
【００３７】
なお、図４には、中間彩度のテストパターンとして、ＲＧＢの画素値が（１２８，０，０）、（０，１２８，０）、（０，０，１２８）の３つを例示したが、これに代えて、あるいはこれに加えて上記の画素値中の１２８の階調値を９６，６４，３２、・・・と言うように細かい階調間隔で変えた中間彩度のテストパターンを多く表示させるようにしてもよい。これにより、モニタ２のより正確なトーンカーブ（階調特性）の情報を得ることができる。また、これらのテストパターンを全部用いてキャリブレーションを行うか、一部を用いてキャリブレーションを行うかを、ユーザが適宜選択可能に構成してもよい。同様に、これらのテストパターンをモニタ全体に表示するか、一部の領域のみに表示するかを、ユーザが適宜選択可能に構成してもよい。特に、モニタ２の一部の領域にのみテストパターンを表示する場合は、省電力、フレアの減少などの利点がある。
【００３８】
次に、図３に示した色変換部１９の構成および作用について、詳細に説明する。
【００３９】
多原色の入力画像データに基づいて高度の色再現を行う分野では、観察環境照明による色再現技術が適用されている。この色再現技術は、撮像機器であるマルチスペクトルカメラで得られる多バンドの画像データから、撮像機器の特性や撮像環境照明光の分光スペクトルに基づいて被写体の分光反射率を推定し、任意の分光強度を有する照明光のスペクトルデータを上記の分光反射率に乗じることにより、被写体が任意の照明光で照明されたときの色（被写体で反射された光のスペクトル）を再現（シミュレート）して表示するものである。例えば、観察環境における照明光の分光スペクトルデータを上記の分光反射率に乗じることにより、表示装置と、この表示装置に表示される画像を観察する観察者とを取り巻く環境である観察環境に、被写体が存在していたときの色を再現して表示する。これにより、観察者にとって、その画像が非常にリアルなものとして感じられるようになる。
【００４０】
図５は、色変換部１９の要部の構成を示すブロック図である。色変換部１９は、色変換処理部３１と、モニタ色変換部３２とを有する。色変換処理部３１は、入力画像データに含まれる入力γ補正データに基づいて、入力画像データのトーンカーブを補正するための多バンド（Ｎ）に対応するルックアップテーブル（ＬＵＴ）３３−１〜３３−Ｎを生成する。また、色変換処理部３１は、照明変換処理部３４を有し、該照明変換処理部３４内に、色変換係数演算部１３から入力される照明変換パラメータに基づいて、照明変換処理用のデータを生成して記憶する。
【００４１】
色変換処理部３１において、入力画像データは、先ず、ＬＵＴ３３−１〜３３−Ｎにより多バンドの入力画像データのそれぞれに対して、いわゆるトーンカーブが補正されて、当該入力画像データが生成されたカメラのレベル・ガンマ特性の影響が除去される。続いて、入力画像データは、照明変換処理部３４において、照明変換データに基づいてマトリクス演算されて照明変換処理される。すなわち、撮像時の撮影照明特性情報やカメラ特性情報に基づいて、入力画像データから被写体の分光反射率推定画像データを求め、この分光反射率推定映像データに、観察照明特性情報に基づくレンダリング照明光を適用する処理を行う。さらに、照明変換処理部３４では、上述のようにして求められた照明変換後の画像データを、Ｘ、Ｙ、Ｚの測色値画像データに変換する処理を行う。このようにして得られたＸ、Ｙ、Ｚ測色値画像データは、モニタ色変換部３２に送出される。
【００４２】
モニタ色変換部３２は、色分解演算部３５を有し、該色分解演算部３５において、色変換係数演算部１３からのモニタ色変換データに基づいて色変換処理用のデータを生成する。この色変換処理用のデータは、モニタ２が３原色のモニタである場合は、３×３のマトリクスとすることができ、モニタ２がＭ原色（Ｍ＞４）のモニタである場合は、色変換処理部３１から入力される測色値画像データから各原色用の表示画像データを生成するためのルックアップテーブルとすることができる。ここでは、モニタ２がＭ原色とする。そして、モニタ色変換部３２では、色変換係数演算部１３からのオフセット補正データおよびトーンカーブ補正データに基づいて、モニタ２の画像表示面におけるガンマ特性およびオフセットを補正するためのＬＵＴ３６−１〜３６−Ｍを生成し、これらＬＵＴ３６−１〜３６−Ｍを用いて色分解演算部３５からの色変換処理用のデータを、モニタ２のＭ原色の表示画像データに色変換して、入力画像データをモニタ２に表示させる。
【００４３】
以上のように、本実施の形態に係る携帯表示装置は、一つの分光センサ５によりモニタ特性および観察照明特性を計測して、入力画像データをモニタ特性情報および観察照明情報に基づいて色変換するので、装置の小型化およびコストダウンが図れるとともに、常に高忠実度かつリアリティな色を再現して画像を表示することができる。したがって、例えば、Ｗｅｂショッピングでは、観察環境における色を正確にモニタ２上に表示することができるので、正しく色のコーディネートを行うことができる。
【００４４】
（第２実施の形態）
図６は、本発明の第２実施の形態に係る携帯表示装置の概略構成を示す図である。この携帯表示装置は、第１実施の形態に示した携帯表示装置において、さらに、装置本体１の裏面側に撮像部４１を設けて、モニタ２の開状態で被写体を撮像可能に構成するとともに、この撮像部４１による被写体の撮像の際に、分光センサ５により、撮像照明光の分光特性を示す撮像照明特性を計測可能に構成して、撮像部４１で撮像された被写体像をモニタ２に表示するようにしたものである。
【００４５】
ここで、分光センサ５は、第１実施の形態の場合と同様に、入射面（図２に示した積分球８）を操作部４側に向けて固定的に設けて、観察照明特性、モニタ特性および撮像照明特性を選択的に計測するように構成する。あるいは、分光センサ５は、入射面が操作部４側と撮像部４１側（装置本体１の裏面側）とに選択的に向くように、装置本体１に回動可能に設けて、観察照明特性やモニタ特性の計測の際は、第１実施の形態の場合と同様に、入射面を操作部４側に向け、撮像照明特性を計測する際は、入射面を選択的に被写体側（装置本体１の裏面側）に向けるように構成する。なお、図６は、分光センサ５を装置本体１に回動可能に設けた場合で、撮像時に分光センサ５を被写体側に向けて撮像照明特性を計測する状態の断面を模式的に示している。
【００４６】
図７は、図６に示した携帯表示装置の要部の回路構成を示すブロック図である。この携帯表示装置は、図３に示した構成に、撮像部４１、画像処理部４２、特性情報付加部４３、カメラ特性記憶部４４および画像データ保存部４５を付加したものである。図７において、カメラ特性記憶部４４には、撮像部４１を構成する撮像素子の分光感度や撮像レンズ系の分光感度であるカメラ特性情報を格納する。また、分光センサ５は、撮像部４１による被写体の撮像の際に撮像照明特性を計測し、その出力である撮像照明特性情報を、切換スイッチ１１を経由することなく特性情報付加部４３に供給する。
【００４７】
撮像部４１は、被写体を撮像すると、その出力画像データを画像処理部４２に供給する。画像処理部４２は、撮像部４１からの画像データに対して、デモザイキング、ノイズリダクション、歪み補正、などの画像処理を行って、画像処理された画像データを特性情報付加部４３へ供給する。特性情報付加部４３は、画像処理部４２からの画像データに対して、カメラ特性記憶部４４に記憶されているカメラ特性情報と、分光センサ５で計測された撮像時の撮像照明特性情報とを付加し、これらカメラ特性情報および撮像照明特性情報が付加された画像データを画像データ保存部４５に格納する。
【００４８】
そして、画像データ保存部４５に保存されている画像データを読み出してモニタ２に表示する際は、読み出された画像データを撮像情報検出部１８および色変換部１９に供給する。これにより、第１実施の形態で説明したと同様にして、色変換部１９において、色変換係数演算部１３で演算された色変換パラメータに基づいて画像データを色変換処理してモニタ２に表示する。その他の構成および動作は、第１実施の形態と同様であるので、説明を省略する。
【００４９】
本実施の形態に係る携帯表示装置によれば、一つの分光センサ５によりモニタ特性および観察照明特性の他に、撮像部４１で被写体を撮像する際の撮像照明特性をも計測するようにしたので、装置の小型化およびコストダウンが図れるとともに、画像データ保存部４５に格納されている画像データを、常に高忠実度かつリアリティな色を再現して表示することができる。
【００５０】
（第３実施の形態）
図８（ａ）および（ｂ）は、本発明の第３実施の形態に係る携帯表示装置の要部の構成を示す概略図である。この携帯表示装置は、デジタルカメラからなるもので、カメラ本体５１に対して、ＬＣＤやＥＬ等からなるモニタ５２が、ヒンジ部５３を介して開閉してモニタ収納部５４に収納可能で、かつ、表示面５２ａを自由な方向に向けられるように、ヒンジ部５３に回動可能に支持されている。図８（ａ）は、モニタ５２の表示面５２ａをカメラ本体５１とは反対側（表面側）に向けて観察可能にモニタ収納部５４に収納した状態を模式図に示し、図８（ｂ）は、モニタ５２の表示面５２ａをカメラ本体５１側に向けて観察不可能にモニタ収納部５４に収納した状態を模式図に示す。
【００５１】
本実施の形態に係る携帯表示装置は、カメラ本体５１のモニタ５２を有する側に、図２に示した構成と同様の構成からなる分光センサ５５を設ける。分光センサ５５は、図８（ａ）に示した観察可能状態では、モニタ収納部５４の外側近傍に位置し、図８（ｂ）に示した観察不可能状態では、モニタ収納部５４内で、モニタ５２の表示面５２ａと対向して位置するように、モニタ５２の開閉および回転動作に連動して移動可能に設ける。
【００５２】
これにより、図８（ａ）に示した観察可能状態において、モニタ５２の観察時には、分光センサ５５により観察照明特性を計測し、撮像時には、分光センサ５５により撮像照明特性を計測する。また、図８（ｂ）に示したモニタ５２の観察不可能状態において、分光センサ５５により、適宜のタイミングでモニタ特性を計測する。このように、一つの分光センサ５５で、観察照明特性、撮像照明特性およびモニタ特性を計測可能とすることにより、カメラ本体５１の小型化およびコストダウンを図ることができる。
【００５３】
なお、本実施の形態に係る携帯表示装置においては、図７に示した回路構成から通信部１７を省略したような回路構成とすることにより、カメラ本体５１で撮像して画像データ保存部４５に格納されている画像データを、常に高忠実度かつリアリティな色を再現して表示することができる。
【００５４】
（第４実施の形態）
図９（ａ）および（ｂ）は、本発明の第４実施の形態に係る携帯表示装置の要部の構成を示す概略図である。この携帯表示装置は、図８に示したデジタルカメラにおいて、分光センサ５５をモニタ５２の表示面側に設け、カメラ本体５１のモニタ収納部５４には反射ミラー５６を設けたものである。そして、図９（ａ）に示した観察可能状態においては、第３実施の形態の場合と同様に、モニタ５２の観察時に、分光センサ５５により観察照明特性を計測し、撮像時に、分光センサ５５により撮像照明特性を計測する。また、図９（ｂ）に示したモニタ５２の観察不可能状態においては、適宜のタイミングでモニタ５２の所定の表示領域に表示されたテストパターンを、反射ミラー５６で反射させて分光センサ５５で受光することによりモニタ特性を計測する。なお、図９（ｂ）は、図９（ａ）に対して拡大して示している。
【００５５】
したがって、本実施の形態に係る携帯表示装置においても、第３実施の形態の場合と同様に、カメラ本体５１の小型化およびコストダウンを図ることができるとともに、カメラ本体５１で撮像して画像データ保存部４５（図７参照）に格納されている画像データを、常に高忠実度かつリアリティな色を再現して表示することができる。
【００５６】
（第５実施の形態）
図１０（ａ）および（ｂ）は、本発明の第５実施の形態に係る携帯表示装置の要部の構成を示す概略斜視図である。この携帯表示装置は、電子ビューファインダ（Electronic View Finder：ＥＶＦ）を有するデジタルカメラからなる。本実施の形態では、カメラ本体６１に、ファインダ窓部６２を開閉するように回動可能にファインダキャップ６３を設け、このファインダキャップ６３に、図２に示した構成と同様の構成からなる分光センサ６４を設ける。
【００５７】
分光センサ６４は、図１０（ａ）に示したようにファインダ窓部６２の開放状態では、環境照明光を受光し、図１０（ｂ）に示したようにファインダ窓部６２の閉塞状態では、ＥＶＦ用モニタから光を受光するように、ファインダキャップ６３に取り付ける。これにより、図１０（ａ）に示したファインダ窓部６２の開放状態において、ＥＶＦ用モニタの観察時、すなわち被写体の撮像時には、分光センサ６４により環境照明光を受光して、観察照明特性および撮像照明特性を同時の計測する。また、図１０（ｂ）に示したファインダ窓部６２の閉塞状態では、分光センサ６４により、ＥＶＦ用モニタに適宜のタイミングで表示されるモニタ特性計測用のテストパターンを受光して、モニタ特性を計測する。
【００５８】
図１１は、図１０に示した携帯表示装置の要部の回路構成を示すブロック図である。この回路構成は、主として、撮像部６５で被写体を撮像しながら、その画像データを、ＬＣＤやＥＬ等からなるＥＶＦ用モニタ６６にライブビューとしてリアルタイムで表示する場合を示している。
【００５９】
このため、本実施の形態では、撮像部６５から得られる動画像の画像データを、画像処理部６７で画像処理してＥＶＦ用の画像データを特性情報付加部６８に供給し、ここでカメラ特性記憶部６９に記憶されている撮像部６５のカメラ特性情報と、分光センサ６４で計測された撮像状態における撮像照明特性情報とを画像データに付加する。そして、カメラ特性情報および撮像照明特性情報が付加された特性情報付加部６８の出力画像データを、図３において説明したと同様に、撮像情報検出部１８および色変換部１９に供給して、色変換部１９により、色変換係数演算部１３で演算された色変換パラメータに基づいて、ＥＶＦ用の画像データを色変換処理してＥＶＦ用モニタ６６にライブビューの画像として表示する。
【００６０】
その他の構成および動作は、図３と同様であるので、同一作用をなす構成要素には同一参照符号を付して、その説明を省略する。なお、本実施の形態の場合、切換スイッチ１１は、ファインダキャップ６３の開閉動作に連動して得られる開閉信号により、ファインダ窓部６２が開状態にあるときは、分光センサ６４の出力を観察照明特性情報として色変換係数算出部１３に供給し、ファインダ窓部６２が閉状態にあるときは、分光センサ６４の出力をモニタ特性算出部１２に供給する。
【００６１】
本実施の形態によれば、一つの分光センサ６４で、観察照明特性および撮像照明特性の同時計測と、ＥＶＦ用モニタ６６のモニタ特性の計測とを選択的に行うようにしたので、カメラ本体６１の小型化およびコストダウンを図ることができるとともに、撮像部６５で撮像したライブ動画像を、常に高忠実度かつリアリティな色を再現してＥＶＦ用モニタ６６に表示することができる。
【００６２】
（第６実施の形態）
図１２は、本発明の第６実施の形態に係る携帯表示装置の要部の回路構成を示すブロック図である。この携帯表示装置は、上述した各実施の形態に係る携帯表示装置において、表示画像の色変換の際に用いるモニタ特性情報を、観察照明光の輝度に応じて切り替えるようにしたものである。
【００６３】
すなわち、最近のモニタは、視認性を高め、かつ、消費電力を抑えるために、周辺の明るさに応じて表示輝度を変えるものが多い。例えば、ＬＣＤのモニタでは、環境の明るさに応じて、図１３に示すように、環境が明るい場合は、バックライトの光を強くして、表示画像を明るくし、環境が暗い場合は、バックライトの光を弱くして表示画像を暗くしている。
【００６４】
しかしながら、このように表示輝度を変更すると、表示する色が変化して、表示画像を正しい色で再現できない場合がある。そこで、本実施の形態に係る携帯表示装置では、環境照明光の明るさに応じて、色変換に用いるモニタ特性情報を切り替える。
【００６５】
このため、図１２に示すように、例えば、図３に示した構成において、切換スイッチ１１を介して分光センサ５の出力を受けるように輝度算出部７１を設け、この輝度算出部７１により、観察照明特性の計測時に、分光センサ５の出力に基づいて観察照明光の輝度を算出し、その算出した輝度値をモニタ特性記憶部１６に供給する。
【００６６】
また、モニタ特性算出部１２は、モニタ特性を算出するにあたって、輝度毎にモニタ特性を計測してモニタ特性記憶部１６に記憶する。モニタ特性記憶部１６は、輝度毎のモニタ特性情報を出力するＬＵＴを生成して、輝度算出部７１で算出された観察照明光の輝度値に応じて、ＬＵＴから最適なモニタ特性情報を色変換係数演算部１３へ供給する。
【００６７】
このように、本実施の形態においては、上述した実施の形態に係る携帯表示装置において、観察照明光の輝度に応じて色変換の際に用いるモニタ特性情報を切り替えるようにしたので、画像をより正確に色再現して表示することができる。
【００６８】
（第７実施の形態）
図１４（ａ）〜（ｃ）は、本発明の第７実施の形態に係る携帯表示装置の要部の構成を模式的に示す断面図である。この携帯表示装置８０は、装置本体８１上に、モニタ８２をスライド可能に設け、このモニタ８２の表示面８２ａの近傍に、環境照明光を受光可能に、図２に示した構成と同様の構成からなる分光センサ８３を設ける。
【００６９】
また、携帯表示装置８０は、モニタ８２の表示面８２ａ側を下側にして、充電器８５の所定の位置にセットすることにより充電可能に構成する。充電器８５には、携帯表示装置８０が充電可能な所定の位置にセットされた状態で、モニタ８２の所定の表示領域に表示されるテストパターンの光を反射させて分光センサ８３に入射させる反射ミラー８６を設ける。なお、図１４（ａ）は、モニタ８２をスライドさせない状態を示し、図１４（ｂ）は、モニタ８２をスライドさせた状態を示し、図１４（ｃ）は、携帯表示装置８０を充電器８５に充電可能にセットした状態を示している。
【００７０】
このようにして、図１４（ａ）あるいは図１４（ｂ）に示す状態で、モニタ８２に画像を表示する際は、分光センサ８３により観察照明特性を計測する。また、図１４（ｃ）に示す充電可能状態において、適宜、モニタ８２の所定の表示領域にモニタ特性計測用のテストパターンを表示し、その表示光を反射ミラー８６で反射させて分光センサ８３で受光することにより、モニタ特性を計測して更新する。その他、モニタ８２に画像を表示する際の画像データの色変換処理等の回路構成は、上述した実施の形態の場合と同様である。
【００７１】
したがって、本実施の形態においても、上述した実施の形態の場合と同様に、携帯端末装置８０の小型化およびコストダウンを図ることができるとともに、モニタ８２に常に高忠実度かつリアリティな色を再現して画像を表示することができる。
【００７２】
なお、本発明は、上記実施の形態にのみ限定されるものではなく、幾多の変形または変更が可能である。例えば、撮像部を有する第２，３，４実施の形態においては、第５実施の形態で説明したＥＶＦと同様のライブビュー機能を付加して、撮像部で被写体を撮像しながら、その動画像をモニタにリアルタイムで表示するように構成することもできる。また、ＥＶＦを有するデジタルカメラ等において、ＥＶＦにアイピースシャッタが設けられている場合は、アイピースシャッタの開閉に連動して、アイピースシャッタが閉じられてＥＶＦを使用しない状態では、ＥＶＦ用モニタのモニタ特性を計測し、アイピースシャッタが開いてＥＶＦの使用状態では、観察（撮像）照明特性を計測するように、分光センサを設けることもできる。
【符号の説明】
【００７３】
１  装置本体
２  モニタ
３  ヒンジ部
４  入力操作部
５  分光センサ
１１  切換スイッチ
１２  モニタ特性算出部
１３  色変換係数算出部
１４  テストパターン記憶部
１５  モニタ駆動部
１６  モニタ特性記憶部
１７  通信部
１８  撮像情報検出部
１９  色変換部
２１  ネットワーク
２２  Ｗｅｂサーバ
４１  撮像部
４３  特性情報付加部
４４  カメラ特性記憶部
５１  カメラ本体
５２  モニタ
５３  ヒンジ部
５４  モニタ収納部
５５  分光センサ
６１  カメラ本体
６２  ファインダ窓部
６３  ファインダキャップ
６４  分光センサ
６５  撮像部
６６  ＥＶＦ用モニタ
６８  特性情報付加部
６９  カメラ特性記憶部
７１  輝度算出部
８０  携帯表示装置
８１  装置本体
８３  分光センサ
８５  充電器
８６  反射ミラー
【図１】
2010197735.tif 000003
【図２】
2010197735.tif 000004
【図３】
2010197735.tif 000005
【図４】
2010197735.tif 000006
【図５】
2010197735.tif 000007
【図６】
2010197735.tif 000008
【図７】
2010197735.tif 000009
【図８】
2010197735.tif 000010
【図９】
2010197735.tif 000011
【図１０】
2010197735.tif 000012
【図１１】
2010197735.tif 000013
【図１２】
2010197735.tif 000014
【図１３】
2010197735.tif 000015
【図１４】
2010197735.tif 000016